(57)【要約】【課題】光センサーによる原稿の誤検知を抑制することができる画像読取装置を提供する。【解決手段】画像読取装置３１は、第１面に原稿Ｇの載置面６１を有し、載置面６１の第１の外縁６２が原点から第１方向Ｘに延びる一方で載置面６１の第２の外縁６３が原点から第１方向Ｘと交差する第２方向Ｙに延びる原稿台３３と、第１方向Ｘに延びる回動軸を中心に回動することで載置面６１に重なる閉位置と載置面６１に対して鋭角をなす検知位置とに変位可能な原稿押さえ白板３８と、原稿台３３の第１面とは反対側の第２面側から載置面６１に載置された原稿Ｇを読み取る読取部４４と、原稿台３３の第２面側から原稿Ｇを検知する光センサー７１と、を備える。光センサー７１の光軸ＯＡは、第２の外縁６３の内側から外側に向けて傾斜している。【選択図】図４
2015075645.tif 000002
【特許請求の範囲】
【請求項１】
第１面に原稿の載置面を有し、前記載置面の第１の外縁が原点から第１方向に延びる一方で前記載置面の第２の外縁が前記原点から前記第１方向と交差する第２方向に延びる原稿台と、
前記第１方向に延びる回動軸を中心に回動することで前記載置面に重なる閉位置と前記載置面に対して鋭角をなす検知位置とに変位可能な原稿押さえ白板と、
前記原稿台の前記第１面とは反対側の第２面側から前記載置面に載置された前記原稿を読み取る読取部と、
前記原稿台の前記第２面側から前記原稿を検知する光センサーと、
を備え、
前記光センサーの光軸は、前記第２の外縁の内側から外側に向けて傾斜していることを特徴とする画像読取装置。
【請求項２】
前記光センサーは、前記原稿台の前記第２面側から前記載置面に向けて光を出射する投光部と、前記第２の外縁の内側から外側に向けて傾斜した前記光軸を有する受光部とを有し、
前記原稿押さえ白板が前記検知位置に配置されたときに、前記受光部の前記光軸は前記原稿押さえ白板から離れていることを特徴とする請求項１に記載の画像読取装置。
【請求項３】
前記投光部は、前記原稿台に対する入射角度が１５度以上４５度以下になるように、前記第２の外縁の内側から外側に向けて光を出射することを特徴とする請求項２に記載の画像読取装置。
【請求項４】
原稿の前記第１方向における長さを検知する第１検知部と、
原稿の前記第２方向における長さを検知するために、前記第２方向に並ぶ複数の前記光センサーからなる第２検知部とを備え、
前記第１検知部は、前記第１方向において前記第２検知部よりも前記原点から離れた位置に配置されることを特徴とする請求項１から請求項３のうちいずれか一項に記載の画像読取装置。
【請求項５】
前記回動軸は前記第２方向における前記載置面の前記原点側に配置され、
前記光センサーは前記第２の外縁に沿って複数配置され、前記原点からの前記第２方向における距離に応じて前記光センサーの光軸の前記載置面に対する交差角度が異なることを特徴とする請求項１から請求項４のうちいずれか一項に記載の画像読取装置。
【請求項６】
前記原稿台に向けて開口する開口部を有して前記光センサーを収容する光センサー収容部と、
前記開口部に沿って配置された光吸収部材とを備えることを特徴とする請求項１から請求項５のうちいずれか一項に記載の画像読取装置。
【発明の詳細な説明】
【技術分野】
【０００１】
本発明は、例えばフラットベッド型スキャナーなどの画像読取装置に関する。
【背景技術】
【０００２】
従来から、画像読取装置の一例として、原稿台ガラスと、原稿台ガラスの下方から原稿台ガラス上の原稿の有無を検知する反射型の光センサーと、原稿台ガラスを覆って原稿を押さえる原稿押さえ白板とを備えるフラットベッド型のスキャナーがある（例えば特許文献１）。
【先行技術文献】
【特許文献】
【０００３】
【特許文献１】特開２００８−１０７６１０号公報
【発明の概要】
【発明が解決しようとする課題】
【０００４】
ところで、上述の光センサーは、原稿台ガラスに向けて光を出射した場合に、所定の閾値以上の光を受光すると、出射した光が原稿に反射したものとして、原稿があるとの検知結果を出力する。一方、光センサーは、受光量が閾値未満であった場合には、原稿がないとの検知結果を出力する。
【０００５】
なお、こうした光センサーによる原稿の検知は、原稿台ガラスを通じて外光がある程度入ると同時に光センサーへの外光の影響が少ない環境で行うのが好ましいので、原稿押さえ白板と原稿台ガラスとが鋭角をなした状態で行われるのが一般的である。
【０００６】
ところが、原稿押さえ白板と原稿台ガラスとが鋭角をなした状態で光センサーが原稿の検知を行うと、光センサーが出射した光が原稿押さえ白板で反射してしまうことがある。すると、光センサーは原稿がないにもかかわらず、原稿押さえ白板で反射した光を受光して、原稿があるとの誤った検知結果を出力してしまうという課題がある。
【０００７】
本発明は、こうした実情に鑑みてなされたものであり、その目的は、光センサーによる原稿の誤検知を抑制することができる画像読取装置を提供することにある。
【課題を解決するための手段】
【０００８】
以下、上記課題を解決するための手段及びその作用効果について記載する。
上記課題を解決する画像読取装置は、第１面に原稿の載置面を有し、前記載置面の第１の外縁が原点から第１方向に延びる一方で前記載置面の第２の外縁が前記原点から前記第１方向と交差する第２方向に延びる原稿台と、前記第１方向に延びる回動軸を中心に回動することで前記載置面に重なる閉位置と前記載置面に対して鋭角をなす検知位置とに変位可能な原稿押さえ白板と、前記原稿台の前記第１面とは反対側の第２面側から前記載置面に載置された前記原稿を読み取る読取部と、前記原稿台の前記第２面側から前記原稿を検知する光センサーと、を備え、前記光センサーの光軸は、前記第２の外縁の内側から外側に向けて傾斜している。
【０００９】
載置面に原稿が載置されていないときに、原稿押さえ白板に反射した光を光センサーが受光すると、原稿がないにもかかわらず、原稿があるとの誤検知をしてしまうおそれがある。その点、光センサーの光軸は第２方向に延びる第２の外縁の内側から外側に向けて傾斜しているので、原稿押さえ白板で反射した光を受光しにくい。したがって、原稿押さえ白板に反射した光を受光することに起因して生じる光センサーによる原稿の誤検知を抑制することができる。
【００１０】
上記画像読取装置において、前記光センサーは、前記原稿台の前記第２面側から前記載置面に向けて光を出射する投光部と、前記第２の外縁の内側から外側に向けて傾斜した前記光軸を有する受光部とを有し、前記原稿押さえ白板が前記検知位置に配置されたときに、前記受光部の前記光軸は前記原稿押さえ白板から離れている。
【００１１】
この構成によれば、光センサーが原稿の検知を行うときに受光部の光軸が原稿押さえ白板と干渉しないので、受光部は原稿押さえ白板に反射した光を受光しにくい。
上記画像読取装置において、前記投光部は、前記原稿台に対する入射角度が１５度以上４５度以下になるように、前記第２の外縁の内側から外側に向けて光を出射する。
【００１２】
投光部から出射された出射光の原稿台に対する入射角度が１５度より小さいと、投光部が出射して原稿台で反射した光を受光部が受光してしまい、原稿がないにもかかわらず原稿があるとの誤検知をするおそれがある。一方、投光部が出射した光の原稿台に対する入射角度が４５度より大きいと、受光部が受光する原稿からの反射光の光量が少なくなり、原稿があるにもかかわらず原稿はないとの誤検知をするおそれがある。その点、上記構成によれば、投光部から出射された光の原稿台に対する入射角度が１５度以上４５度以下であるので、原稿台での反射を抑制しつつ、原稿からの反射光を適切に受光して、原稿の誤検知を抑制することができる。
【００１３】
上記画像読取装置は、原稿の前記第１方向における長さを検知する第１検知部と、原稿の前記第２方向における長さを検知するために、前記第２方向に並ぶ複数の前記光センサーからなる第２検知部とを備え、前記第１検知部は、前記第１方向において前記第２検知部よりも前記原点から離れた位置に配置される。
【００１４】
第２検知部を構成する光センサーの光軸は第２の外縁の内側から外側に向けて傾斜しているので、第２の外縁の外側から入射した光を受光しやすい。そのため、第１方向において第２検知部よりも原点に近い位置に、例えば第１検知部を構成する光センサーが配置されると、同光センサーの投光部が出射した光を第２検知部の光センサーが受光して、原稿の誤検知を招くおそれがある。その点、上記構成によれば、第１検知部は第１方向において第２検知部よりも原点から離れた位置に配置されるので、第１検知部が出射した光を第２検知部が受光しにくくなる。したがって、第２検知部を構成する光センサーによる原稿の誤検知を抑制することができる。
【００１５】
上記画像読取装置において、前記回動軸は前記第２方向における前記載置面の前記原点側に配置され、前記光センサーは前記第２の外縁に沿って複数配置され、前記原点からの前記第２方向における距離に応じて前記光センサーの光軸の前記載置面に対する交差角度が異なる。
【００１６】
この構成によれば、回動軸は第２方向における載置面の原点側に配置されているので、原稿押さえ白板が検知位置にあるときに、載置面と原稿押さえ白板との距離は、第２方向において原点から離れるほど長くなる。そのため、原稿押さえ白板と干渉しない光センサーの光軸の角度は、第２方向における原点と光センサーとの距離に応じて異なる。したがって、第２方向に沿って配置された複数の光センサーの光軸の角度を、原点と光センサーとの距離に応じて設定することにより、各光センサーの光軸の角度を最適化することができる。
【００１７】
上記画像読取装置は、前記原稿台に向けて開口する開口部を有して前記光センサーを収容する光センサー収容部と、前記開口部に沿って配置された光吸収部材とを備える。
この構成によれば、光センサーを収容する光センサー収容部の開口部に沿って配置された光吸収部材によって、開口部周辺における光の反射を抑制することができる。これにより、光センサーが周囲で反射した光を受光することに起因する原稿の誤検知を抑制することができる。
【図面の簡単な説明】
【００１８】
【図１】一実施形態の画像読取装置を備える複合機の斜視図。
【図２】開閉体を開位置に配置した複合機の上面図。
【図３】画像読取装置の平面図。
【図４】画像読取装置が備える光センサーの構成を示す断面図。
【図５】原稿押さえ白板が検知位置に配置された複合機の側面図。
【図６】出射光の入射角度による光センサーの出力値の変化を示すグラフ。
【図７】光センサーの出力結果と検知される原稿との関係を示す表。
【発明を実施するための形態】
【００１９】
以下、画像読取装置の実施形態について、図を参照して説明する。
画像読取装置は、例えば記録装置の一例であるプリンターの鉛直方向上方に重ねて配置されることによって複合機を構成するフラットベッド型のスキャナーである。
【００２０】
図１に示すように、本実施形態の複合機１１は、用紙などの記録媒体Ｓに印刷（記録）を行う記録装置２１と、記録装置２１の鉛直方向Ｚにおける上方に重ねて配置される画像読取装置３１とを備えている。
【００２１】
複合機１１において、記録装置２１及び画像読取装置３１を一体化した装置本体１２の前側には、複合機１１を操作するための操作パネル１３が前方に向けて突設されている。操作パネル１３には、例えばメニュー画面等を表示するための表示部や操作ボタンなどを配置することができる。
【００２２】
装置本体１２の背面側には、記録媒体Ｓを挿入するための開口部（図示略）を覆うカバー部材１４が設けられている。装置本体１２の前面側には、操作パネル１３の鉛直方向Ｚにおける下方となる位置に、記録媒体Ｓを排出するための排出部１５が設けられている。また、装置本体１２の下部には、複数の記録媒体Ｓを積層した状態で収容する収容カセット１７が着脱可能に装着される。
【００２３】
図２に示すように、画像読取装置３１は、有底箱状の読取部ケース３２と、読取部ケース３２の上側開口部に嵌め込まれた原稿台３３及び読取台３４と、原稿台３３及び読取台３４を固定するための枠部材３５と、背面側に設けられたヒンジ３６を介して回動可能に取り付けられた開閉体３７とを備えている。
【００２４】
原稿台３３及び読取台３４は、例えば四角板状の透明ガラスとすることができる。読取台３４は、原稿台３３よりも装置本体１２の長手方向（図２では左右方向）における長さが短い。そして、読取台３４は、装置本体１２の長手方向において原稿台３３の一方側（図２では左側）に配置されている。
【００２５】
開閉体３７は、例えば、積層された複数の原稿Ｇを一枚ずつ反転させながら読取台３４上に給送するオートドキュメントフィーダーである。開閉体３７には、原稿台３３に載置された原稿Ｇを押さえるための原稿押さえ白板３８が取り付けられている。開閉体３７は、原稿押さえ白板３８を備えた板状の蓋部材にしてもよい。そして、開閉体３７がオートドキュメントフィーダーとして機能しない蓋部材である場合には、読取台３４を備えなくてもよい。
【００２６】
原稿台３３は本実施形態において上面となる第１面に原稿Ｇを載置する矩形状の載置面６１を有している。載置面６１には、装置本体１２の長手方向における一端（図２では左端）であって、長手方向と交差する奥行方向においては開閉体３７の回動軸ＡＸに近い奥側の基端に原点ＯＰが設定されている。
【００２７】
載置面６１の第１の外縁６２は原点ＯＰから第１方向Ｘ（本実施形態では装置本体１２の長手方向となる右方向）に延びている一方で、載置面６１の第２の外縁６３は原点ＯＰから第１方向と交差する第２方向Ｙ（本実施形態では装置本体１２の奥行方向の反対方向となる前方向）に延びている。また、載置面６１は、第１の外縁６２と対向する位置に第３の外縁６４を有するとともに、第２の外縁６３と対向する位置に第４の外縁６５を有する。
【００２８】
開閉体３７の回動軸ＡＸは、装置本体１２の第２方向Ｙにおける載置面６１の原点ＯＰ側に配置されて、第１方向Ｘに沿って延びている。そして、原稿押さえ白板３８は、開閉体３７が回動軸ＡＸを中心に回動することで、載置面６１に重なる閉位置と、載置面６１から離れる開位置とに変位可能な構成になっている。なお、図２においては、原稿押さえ白板３８を明示するために、原稿押さえ白板３８が載置面６１と鈍角をなすように開閉体３７が大きく開いた様子を図示しているが、開閉体３７は載置面６１上に原稿Ｇを載置できる程度に開くことができればよい。
【００２９】
画像読取装置３１には、第２方向Ｙに沿う奥行方向において原稿台３３よりも奥に配置された第１開閉レバー６６と、奥行方向において第１開閉レバー６６よりも回動軸ＡＸから離れた位置に配置された第２開閉レバー６７とが、枠部材３５から突出するように設けられている。
【００３０】
図３に示すように、読取部ケース３２の底部には、第１方向Ｘに延びる案内レール４１が突設されている。なお、図３においては、読取部ケース３２内の構成を明示するために、読取台３４及び枠部材３５の図示を省略しているとともに、原稿台３３を点線で図示している。
【００３１】
読取部ケース３２内には読取キャリッジ４２が収容されている。読取キャリッジ４２は、案内レール４１に係合する係合部４３を有して、係合部４３を介して案内レール４１に支持されている。読取キャリッジ４２は、原稿台３３に載置された原稿Ｇを原稿台３３の第１面とは反対側の第２面側（本実施形態では下面側）から読み取る読取部４４を搭載している。読取部４４は、例えば密着型のイメージセンサーである。
【００３２】
読取キャリッジ４２は、案内レール４１に案内されることによって、走査方向となる第１方向Ｘに沿って往復走査する。なお、読取キャリッジ４２の案内レール４１に対する係合部４３は、読取キャリッジ４２の重心付近に配置するのが好ましいため、係合部４３は読取キャリッジ４２の長手方向（第２方向Ｙ）における中央付近に配置されている。
【００３３】
読取部ケース３２の底部には、原稿台３３の第２面側から載置面６１に載置された原稿を検出する複数の光センサー７１が配置されている。第１方向Ｘに並ぶ複数（本実施形態では２つ）の光センサー７１Ｘ（７１Ｘ１，７１Ｘ２）は、原稿Ｇの第１方向Ｘにおける長さを検知するための第１検知部６８を構成する。また、第２方向Ｙに並ぶ複数（本実施形態では５つ）の光センサー７１Ｙ（７１Ｙ１，７１Ｙ２，７１Ｙ３，７１Ｙ４，７１Ｙ５）は、原稿Ｇの第２方向Ｙにおける長さを検知するための第２検知部６９を構成する。
【００３４】
第１検知部６８を構成する光センサー７１Ｘの光軸ＯＡは、第４の外縁６５の内側から外側に向けて傾斜している。その結果、第１検知部６８による原稿Ｇの検知位置ＤＸ（すなわち、光センサー７１Ｘの光軸ＯＡと載置面６１とが交差する位置）は、第１方向Ｘにおいて、光センサー７１Ｘと第４の外縁６５との間にある。
【００３５】
一方、第２検知部６９を構成する光センサー７１Ｙの光軸ＯＡは、第２の外縁６３の内側から外側に向けて傾斜している。その結果、第２検知部６９による原稿Ｇの検知位置ＤＹ（すなわち、光センサー７１Ｙの光軸ＯＡと載置面６１とが交差する位置）は、第１方向Ｘにおいて、光センサー７１Ｙと第２の外縁６３との間にある。
【００３６】
第２検知部６９を構成する複数の光センサー７１Ｙは、第２の外縁６３に沿って配置されている。また、第１検知部６８は、第１方向Ｘにおいて第２検知部６９よりも原点ＯＰから離れた位置に配置されている。そして、第１検知部６８を構成する光センサー７１Ｘは、第４の外縁６５の外側に向けて光を出射している。
【００３７】
図４に示すように、光センサー７１は、原稿台３３の第２面側から載置面６１に向けて光を出射する投光部７５と、載置面６１に載置された原稿Ｇからの反射光を受光するための受光部７６とを有している。したがって、光センサー７１の光軸ＯＡという場合には、投光部７５の光軸ＯＡ１及び受光部７６の光軸ＯＡ２のうち少なくとも一方を指している。ただし、本実施形態においては、投光部７５の光軸ＯＡ１と受光部７６の光軸ＯＡ２とはほぼ平行をなすように設定されているため、光軸ＯＡ１の載置面６１に対する傾斜角度と光軸ＯＡ２の載置面６１に対する傾斜角度とは等しい。
【００３８】
光センサー７１は、原稿台３３に向けて開口する開口部７２を有する光センサー収容部７３に収容されている。そして、光センサー収容部７３の開口部７２沿いには、光吸収部材７４である黒色シートが配置されている。
【００３９】
次に、以上のように構成された画像読取装置３１の作用について説明する。
光センサー７１は、受光部７６が原稿Ｇからの反射光を受光することによって原稿Ｇの有無を検知するので、例えば読取部ケース３２内で反射した外光などが受光部７６に過度に入ると、原稿Ｇがないにもかかわらず原稿Ｇがあるとの誤検知をするおそれがある。
【００４０】
その点、本実施形態では、光センサー７１の周囲に光吸収部材７４を配置することによって、読取部ケース３２の底部における光の反射が抑制されるので、光センサー７１の誤検知が抑制される。
【００４１】
本実施形態では、図３に示すように、光センサー７１の周囲に加えて、読取部ケース３２の底部において外光が入りやすい位置、例えば第２方向Ｙにおいて案内レール４１と第３の外縁６４との間の広い範囲に光吸収部材７４を配置している。また、第２方向Ｙにおいて案内レール４１と第１の外縁６２との間にも、光センサー７１に近い位置に光吸収部材７４を配置している。これにより、読取部ケース３２の底部における光の反射がさらに抑制される。
【００４２】
すなわち、光センサー７１による原稿Ｇの検知をする際には、原稿Ｇがない場合に投光部７５の出射光が原稿台３３を透過するように開閉体３７を開位置に配置しつつ、外光が過度に入ってこないようにする必要がある。そして、開閉体３７を開位置に配置した状態で外光が過度に入らないようにするためには、原稿押さえ白板３８が載置面６１に対して鋭角をなす開位置を検知位置とするのが好ましい。
【００４３】
例えば、図５に示すように、原稿押さえ白板３８が載置面６１に対して３０度をなす開位置を検知位置とする。開閉体３７は、この検知位置よりも原稿押さえ白板３８と載置面６１とがなす角度が大きくなる位置まで開くことができる。そして、原稿押さえ白板３８と載置面６１とがなす角度が３０度よりも大きくなって、載置面６１に原稿Ｇを載置するときの原稿押さえ白板３８及び開閉体３７の位置を全開位置とする。
【００４４】
これに対して、原稿押さえ白板３８が検知位置にある時の開閉体３７の位置を半開位置とする。すなわち、開閉体３７は回動軸ＡＸを中心に回動することにより、全開位置と閉位置との間で変位し、全開位置から閉位置に向けて回動する途中位置に、検知位置がある。
【００４５】
ここで、光センサー７１が原稿Ｇを検出するとき、図５に矢印で示すように外光が原稿押さえ白板３８に反射して、載置面６１に入射してしまうことがある。そして、こうした外光を図４に示す受光部７６が受光すると、原稿Ｇがないにもかかわらず原稿Ｇがあるとの誤検知を光センサー７１がするおそれがある。
【００４６】
また、載置面６１に原稿Ｇが載置されていないときに、原稿押さえ白板３８に反射して原稿台３３を透過した光を光センサー７１が受光すると、原稿がないにもかかわらず、原稿があるとの誤検知をしてしまうおそれがある。
【００４７】
その点、図３に示すように、本実施形態では、第１検知部６８において、光センサー７１Ｘの光軸ＯＡを第４の外縁６５の内側から外側に向けて傾斜させているので、受光部７６は原稿押さえ白板３８で反射した光を受光しにくい。また、第２検知部６９においては、光センサー７１Ｙの光軸ＯＡを第２の外縁６３の内側から外側に向けて傾斜させているので、受光部７６は原稿押さえ白板３８からの反射光を受光しにくい。そのため、光センサー７１が原稿押さえ白板３８での反射光を受光して、原稿Ｇがないにもかかわらず、原稿Ｇがあるとの誤検知をすることが抑制される。
【００４８】
なお、図４に示すように、原稿押さえ白板３８が検知位置に配置されたときに、光センサー７１Ｙの受光部７６の光軸ＯＡ２が原稿押さえ白板３８から離れた位置にあるように、光軸ＯＡ２と載置面６１との交差角度θｃが設定されるのが好ましい。検知位置にある原稿押さえ白板３８と受光部７６の光軸ＯＡ２とが交差していると、受光部７６が原稿押さえ白板３８からの反射光を受光して、原稿Ｇがないにもかかわらず原稿Ｇがあるとの誤検知をするおそれがあるからである。
【００４９】
ただし、必ずしも原稿押さえ白板３８と受光部７６の光軸ＯＡ２とが離れていなくても、光センサー７１の光軸ＯＡを第２方向Ｙに延びる載置面６１の外縁６３，６５の内側から外側に向けて傾斜させることによって、光センサー７１は原稿押さえ白板３８での反射光を受光しにくくなるので、誤検知の抑制効果が期待できる。
【００５０】
また、光センサー７１Ｙの投光部７５と受光部７６は第１方向Ｘに並んで配置されているが、原稿押さえ白板３８からの反射光を受光しにくくするために、受光部７６は投光部７５よりも第１方向Ｘにおいて第２の外縁６３に近い位置に配置するのが好ましい。
【００５１】
このような配置にすると、光センサー７１Ｙの光軸ＯＡを第２の外縁６３の内側から外側に向けて傾斜させる結果、受光部７６が投光部７５よりも原稿台３３から離れた位置（本実施形態では鉛直方向下側）に配置されることになる。これにより、受光部７６には原稿台３３を透過した外光等、誤検知を招く不要な光が届きにくくなるので、好ましい。
【００５２】
また、光センサー７１の光軸ＯＡの傾きに関連して、出射光の入射角度θｉについて説明する。
光センサー７１の受光部７６がフォトダイオードを備える場合などには、光の受光量に応じた電流が流れるため、受光量を電圧信号として出力することができる。そのため、例えば受光部７６が出力する電圧値ＶＰが閾値以上であった場合には、載置面６１上の原稿Ｇに反射した光を受光したものとして、原稿Ｇがあるとの検知結果（例えば、「１」）を光センサー７１が出力する。一方、受光部７６が出力する電圧値ＶＰが閾値未満であった場合には、原稿Ｇがないとの検知結果（例えば、「０」）を光センサー７１が出力する。
【００５３】
原稿Ｇの検知に用いられる閾値は、例えば原稿Ｇとして用いられる頻度が高い白い用紙の反射率に基づいて設定される。ただし、出射光が原稿台３３に反射したり、外光が原稿台３３の載置面６１を透過して入射したりした場合には、原稿Ｇがある場合とない場合とで電圧値ＶＰの差が小さくなり、誤検知をしてしまうおそれがある。
【００５４】
図６には、出射光の入射角度θｉによる光センサー７１の出力値の変化の一例を、載置面６１に原稿Ｇがない場合の電圧値ＶＰをＧ（０）、原稿Ｇに出射光が反射した場合の電圧値ＶＰをＧ（１）、原稿押さえ白板に出射光が反射した場合の電圧値ＶＰを３８として示している。
【００５５】
図６に示すように、出射光の載置面６１に対する入射角度θｉが１５度より小さいと、原稿台３３で反射した出射光を受光部７６が受光するために、原稿ＧがないＧ（０）においても、原稿ＧがあるＧ（１）と同程度の電圧値ＶＰが出力される。すなわち、出射光の原稿台３３に対する入射角度θｉが１５度より小さいと、光センサー７１は、原稿Ｇがないにもかかわらず原稿Ｇがあるとの誤検知をするおそれがある。
【００５６】
一方、出射光の原稿台３３に対する入射角度θｉが４５度より大きいと、受光部７６が受光する原稿Ｇからの反射光の光量が少なくなるために、原稿ＧがないＧ（０）と原稿ＧがあるＧ（１）との電圧値ＶＰの差が小さくなる。すなわち、出射光の原稿台３３に対する入射角度θｉが４５度より大きいと、光センサー７１は、原稿Ｇがあるにもかかわらず原稿Ｇがないとの誤検知をするおそれがある。
【００５７】
そのため、原稿台３３での出射光の反射を抑制しつつ、原稿Ｇに対する反射光を適切に受光するためには、投光部７５から出射された光の原稿台３３に対する入射角度θｉが１５度以上４５度以下であるのが好ましい。また、原稿台３３での反射の影響をさらに抑制するためには、出射光の入射角度θｉを２５度以上４５度以下とするのがより好ましい。
【００５８】
そして、本実施形態においては、検知位置にある原稿押さえ白板３８と受光部７６の光軸ＯＡ２が交差しないという第１条件と、出射光の入射角度θｉが１５度以上４５度以下になるという第２条件との両方を満たすように、光センサー７１の光軸ＯＡ（ＯＡ１，ＯＡ２）の原稿台３３に対する交差角度θｃは６０度に設定されている。このとき、出射光の原稿台３３に対する入射角度θｉは３０度になる。
【００５９】
続いて、画像読取装置３１の動作について説明する。
原稿Ｇの読み取りを行う場合には、まず、開閉体３７を全開位置に配置して、原稿Ｇの読み取りたい面が載置面６１に対向するとともに、原稿Ｇの角が原点ＯＰに位置するように位置あわせしつつ、原稿Ｇを原稿台３３の上に載置する。
【００６０】
そして、原稿Ｇの載置が完了すると、全開位置にある開閉体３７を閉位置に向けて回動させる。すると、開閉体３７が開位置から半開位置まで回動したところで開閉体３７が第１開閉レバー６６を押すことによって、原稿押さえ白板３８が検知位置に配置されたことが検知される。そして、原稿押さえ白板３８が検知位置に配置されると、光センサー７１が載置面６１に載置された原稿Ｇを検知するための検知動作として、投光部７５から光を出射するとともに受光部７６の受光量に基づいた検知結果を出力する。
【００６１】
例えば、光センサー７１は、投光部７５が載置面６１に向けて光を出射したときに受光部７６が受光した光の光量が閾値以上であった場合には、出射光が載置面６１上の原稿Ｇに反射したものとして、原稿Ｇがあるとの検知結果「１」を出力する。一方、受光部７６が受光した光の光量が閾値未満であった場合には、原稿Ｇがないとの検知結果「０」を出力する。
【００６２】
そして、図７に示すように、光センサー７１Ｙ１，７１Ｙ２，７１Ｙ３，７１Ｙ４，７１Ｙ５，７１Ｘ１，７１Ｘ２の検知結果（「１」または「０」）の組み合わせに基づいて、載置面６１に載置された原稿Ｇのサイズと向きが検知される。また、全ての光センサー７１が「０」を出力した場合には、原稿Ｇがないとの検知結果になる。
【００６３】
なお、第１方向Ｘを横方向、第２方向Ｙを縦方向とすると、第１方向Ｘが長手方向となるように原稿Ｇが載置された場合は横置き、第２方向Ｙが長手方向となるように原稿Ｇが載置された場合は縦置きという。そして、図３及び図７において、原稿Ｇ（Ａ５Ｓ）はＡ５サイズの横置き、原稿Ｇ（Ａ４Ｌ）はＡ４サイズの縦置き、原稿Ｇ（Ｂ５Ｓ）はＢ５サイズの横置き、原稿Ｇ（Ａ４Ｓ）はＡ４サイズの横置き、原稿Ｇ（Ｂ４Ｓ）はＢ４サイズの横置き、原稿Ｇ（Ａ３Ｓ）はＡ３サイズの横置きを意味している。
【００６４】
すなわち、光センサー７１Ｘ１，７１Ｘ２，７１Ｙ１，７１Ｙ２，７１Ｙ３，７１Ｙ４，７１Ｙ５は、複数のサイズの原稿Ｇと、その原稿Ｇの向きを判別することができるように、対応する原稿Ｇと平面視において重なる位置に配置されている。
【００６５】
続いて、開閉体３７が検知位置からさらに回動して第２開閉レバー６７を押すことによって、原稿押さえ白板３８が閉位置に配置されたことが検知される。なお、原稿押さえ白板３８が閉位置に配置されたときに、光センサー７１が再度検知動作を行うようにしてもよい。そして、このように２回の検知動作を行う場合には、例えば、１回目の検知動作での受光量と、２回目の検知動作での受光量との差に基づいて、光センサー７１が検知結果を出力する。
【００６６】
ここで、２度目の検知動作のときには、原稿押さえ白板３８は原稿Ｇの上に重なった状態になっているので、光センサー７１は、載置面６１に載置された原稿Ｇまたは原稿押さえ白板３８に反射した出射光を受光することになる。そして、図６に示すように、原稿押さえ白板３８は原稿Ｇと同様の反射特性を有するので、原稿押さえ白板３８を閉位置に配置して行う２回目の検知動作における全ての光センサー７１の受光量は、用紙がある場合と同様の値になるはずである。
【００６７】
そのため、例えば１回目の検知動作で原稿Ｇからの反射光を受光している場合には、１回目の検知動作での受光量と、２回目の検知動作での受光量との差は０に近い値になる。したがって、この場合には、原稿Ｇがあるとの検知結果「１」を光センサー７１が出力する。
【００６８】
一方、１回目の検知動作で原稿Ｇからの反射光を受光していない場合には、１回目の検知動作での受光量と、２回目の検知動作での受光量との差の絶対値は、原稿Ｇが有る場合の受光量に近い値になる。したがって、この場合には、原稿Ｇがないとの検知結果「０」を光センサー７１が出力する。
【００６９】
ただし、例えば光センサー７１の投光部７５が光を出射していなかったり、経時劣化によって受光部７６の受光感度が低下していたりすると、その光センサー７１の受光量が少なくなる。すなわち、原稿押さえ白板３８を閉位置に配置して行う２回目の検知動作での光センサー７１の受光量が少ない場合には、その光センサー７１が不良な状態であることが疑われる。したがって、２回の検出動作によって原稿Ｇの検知をすることによって、より正確な検知結果を得ることができる。
【００７０】
そして、光センサー７１による検知動作が終了して、開閉体３７が閉位置に配置されると、読取キャリッジ４２が走査して、検知された原稿Ｇのサイズ及び向きに基づいて読取キャリッジ４２に搭載された読取部４４が原稿Ｇの読み取りを行う。
【００７１】
上記実施形態によれば、以下のような効果を得ることができる。
（１）光センサー７１Ｙの光軸ＯＡは第２方向Ｙに延びる第２の外縁６３の内側から外側に向けて傾斜しているので、原稿押さえ白板３８で反射した光を受光しにくい。したがって、原稿押さえ白板３８に反射した光を受光することに起因して生じる光センサー７１Ｙによる原稿Ｇの誤検知を抑制することができる。
【００７２】
（２）光センサー７１Ｙが原稿Ｇの検知を行うときに受光部７６の光軸ＯＡ２が原稿押さえ白板３８と干渉しないので、受光部７６は原稿押さえ白板３８に反射した光を受光しにくい。
【００７３】
（３）投光部７５から出射された光の原稿台３３に対する入射角度θｉが１５度以上４５度以下であるので、原稿台３３での反射を抑制しつつ、原稿Ｇからの反射光を適切に受光して、原稿Ｇの誤検知を抑制することができる。
【００７４】
（４）第２検知部６９を構成する光センサー７１Ｙの光軸ＯＡは第２の外縁６３の内側から外側に向けて傾斜しているので、第２の外縁６３の外側から入射した光を受光しやすい。そのため、第１方向Ｘにおいて第２検知部６９よりも原点ＯＰに近い位置に、例えば第１検知部６８を構成する光センサー７１Ｘが配置されると、光センサー７１Ｘの投光部７５が出射した光を第２検知部６９の光センサー７１Ｙが受光して、原稿Ｇの誤検知を招くおそれがある。その点、上記実施形態によれば、第１検知部６８は第１方向Ｘにおいて第２検知部６９よりも原点ＯＰから離れた位置に配置されるので、第１検知部６８が出射した光を第２検知部６９が受光しにくくなる。したがって、第２検知部６９を構成する光センサー７１Ｙによる原稿Ｇの誤検知を抑制することができる。
【００７５】
（５）光センサー７１を収容する光センサー収容部７３の開口部７２沿いに配置された光吸収部材７４によって、開口部７２周辺における光の反射を抑制することができる。これにより、光センサー７１が周囲で反射した光を受光することに起因する原稿Ｇの誤検知を抑制することができる。
【００７６】
なお、上記実施形態は以下のように変更してもよい。
・光センサー７１Ｙが第２方向Ｙに沿って複数配置される場合には、その光センサー７１Ｙの原点ＯＰからの第２方向Ｙにおける距離に応じて、受光部７６の光軸ＯＡ２の載置面６１に対する交差角度θｃが異なるようにしてもよい。すなわち、載置面６１と原稿押さえ白板３８との距離は、第２方向Ｙにおいて原点ＯＰから離れるほど長くなる。そして、載置面６１と原稿押さえ白板３８との距離が短いほど、光センサー７１Ｙの光軸が原稿押さえ白板３８と交差しやすくなる。そのため、光センサー７１Ｙの原点ＯＰからの第２方向Ｙにおける距離が長いほど、光軸ＯＡ２の載置面６１に対する交差角度θｃを大きくしても、光軸ＯＡ２と検知位置にある原稿押さえ白板３８とが交差しないようにすることができる。
【００７７】
すなわち、回動軸ＡＸは第２方向Ｙにおける載置面６１の原点ＯＰ側に配置されているので、原稿押さえ白板３８が検知位置にあるときに、載置面６１と原稿押さえ白板３８との距離は、第２方向Ｙにおいて原点ＯＰから離れるほど長くなる。そのため、原稿押さえ白板３８と干渉しない光センサー７１の光軸ＯＡの角度は、第２方向Ｙにおける原点ＯＰと光センサー７１との距離に応じて異なる。したがって、第２方向Ｙに沿って配置された複数の光センサー７１Ｙの光軸ＯＡの角度を、原点ＯＰと光センサー７１Ｙとの距離に応じて設定することにより、各光センサー７１Ｙの光軸ＯＡの角度を最適化することができる。
【００７８】
また、第１方向Ｘにおける光センサー７１Ｙの原点ＯＰからの距離が短いほど、光軸ＯＡ２と検知位置にある原稿押さえ白板３８とが交差しにくいので、第２方向Ｙにおける光センサー７１Ｙの原点ＯＰからの距離が長いほど、第１方向Ｘにおける光センサー７１Ｙの原点ＯＰからの距離を長くしてもよい。
【００７９】
なお、原稿押さえ白板３８での反射光の影響による原稿Ｇの誤検知を抑制するという観点からは、光センサー７１Ｙの光軸ＯＡとしての投光部７５の光軸ＯＡ１と受光部７６の光軸ＯＡ２のうち、少なくとも受光部７６の光軸ＯＡ２が第２の外縁６３の内側から外側に向けて傾斜していればよい。
【００８０】
すなわち、光センサー７１は、投光部７５の光軸ＯＡ１と受光部７６の光軸ＯＡ２とが平行をなさず、光軸ＯＡ１と光軸ＯＡ２とが交差する領域で原稿Ｇを検出する構成としてもよい。この場合には、投光部７５の光軸ＯＡ１と受光部７６の光軸ＯＡ２とで、それぞれ最適な角度を設定することができる。
【００８１】
・例えば読取部ケース３２の底部を黒色にした場合などには、光センサー７１の周囲に光吸収部材７４を配置しなくても、読取部ケース３２の底部における光の反射を抑制することができる。なお、載置面６１と原稿押さえ白板３８との距離は、第２方向Ｙにおいて原点ＯＰから離れるほど長くなる。そのため、原稿押さえ白板３８が検出位置にあるとき、図５に矢印で示すように原稿押さえ白板３８に反射して載置面６１に入射する外光の影響は、第２方向Ｙにおいて原点ＯＰに近いほど大きくなる。そのため、光吸収部材７４の配置や黒色の塗装等の対策によって読取部ケース３２内での光の反射を抑制する場合には、光センサー７１の周囲に加えて、第２方向Ｙにおいて原点ＯＰに近い読取部ケース３２の底部にも同対策を施すのが好ましい。
【００８２】
・載置面６１において、第１方向Ｘに延びる外縁６２，６４よりも第２方向Ｙに延びる外縁６３，６５が長くてもよいし、外縁６２，６４と外縁６３，６５との長さが等しくてもよい。また、載置面６１の形状は矩形状でなくてもよい。
【００８３】
・光センサー７１の数や配置は、検知したい原稿Ｇのサイズや向きに応じて任意に変更することができる。例えば、光センサー７１Ｙを１つのみ設けて、原稿Ｇの有無のみを検知するようにしてもよい。
【００８４】
・複合機１１に備えられる記録装置２１はプリンターに限らず、例えばファクシミリや複写装置などであってもよい。また、画像読取装置３１はスキャナーに限らず、例えばカードリーダーや認証装置などであってもよい。
【符号の説明】
【００８５】
Ｇ…原稿、Ｘ…第１方向、Ｙ…第２方向、θｃ…交差角度、θｉ…入射角度、ＡＸ…回動軸、ＯＡ，ＯＡ１，ＯＡ２…光軸、ＯＰ…原点、３１…画像読取装置、３３…原稿台、３８…原稿押さえ白板、４４…読取部、６１…載置面、６２…第１の外縁，６３…第２の外縁、６８…第１検知部、６９…第２検知部、７１，７１Ｘ，７１Ｙ，７１Ｘ１，７１Ｘ２，７１Ｙ１，７１Ｙ２，７１Ｙ３，７１Ｙ４，７１Ｙ５…光センサー、７２…開口部、７３…光センサー収容部、７４…光吸収部材、７５…投光部、７６…受光部。
【図１】
2015075645.tif 000003
【図２】
2015075645.tif 000004
【図３】
2015075645.tif 000005
【図４】
2015075645.tif 000006
【図５】
2015075645.tif 000007
【図６】
2015075645.tif 000008
【図７】
2015075645.tif 000009